(57)【要約】【課題】上下に積み重ねられた容器同士のずれや滑りを防止し、安定して積み重ねることができる容器を提供する。【解決手段】容器１は、内容物の注出口となる口部２を備え、該口部２に続いて肩部３、胴部４および底部５を一体に備える。底部５は、容器１を上下に積み重ねた際に下側の容器１の口部２を収容可能な凹部５ｂと、該凹部５ｂの外側に設けられた第１の面５ｃとを有し、肩部３は、容器１を上下に積み重ねた際に上側の容器１の底部５に設けられた第１の面５ｃと向き合う第２の面３ｂを有し、肩部３の第２の面３ｂおよび底部５の第１の面５ｃの少なくとも一方に、容器１を上下に積み重ねた際に上下の容器１同士の滑りを防止する滑り止め部７又は９を備える。【選択図】図２
2017178363.tif 000002
【特許請求の範囲】
【請求項１】
内容物の注出口となる口部を備え、該口部に続いて肩部、胴部および底部を一体に備える容器であって、
前記底部は、前記容器を上下に積み重ねた際に下側の前記容器の前記口部を収容可能な凹部と、該凹部の外側に設けられた第１の面とを有し、
前記肩部は、前記容器を上下に積み重ねた際に上側の前記容器の前記底部に設けられた前記第１の面と向き合う第２の面を有し、
前記肩部の前記第２の面および前記底部の前記第１の面の少なくとも一方に、前記容器を上下に積み重ねた際に上下の前記容器同士の滑りを防止する滑り止め部を備えることを特徴とする容器。
【請求項２】
前記肩部の前記第２の面および前記底部の前記第１の面は水平方向に延在する平坦面である、請求項１に記載の容器。
【請求項３】
前記肩部の前記第２の面および前記底部の前記第１の面は水平方向に対して傾斜した傾斜面である、請求項１に記載の容器。
【請求項４】
前記滑り止め部は、環状凸部または互いに間隔をおいて設けられた複数の突起である、請求項１〜３の何れか一項に記載の容器。
【請求項５】
前記滑り止め部は、ゴム、エラストマー、インキ、またはホットメルト樹脂からなる、請求項１〜４の何れか一項に記載の容器。
【請求項６】
前記肩部の外縁部と前記第２の面との間に段差が設けられ、該段差を介して前記第２の面は前記外縁部よりも高い位置にある、請求項１〜５の何れか一項に記載の容器。
【発明の詳細な説明】
【技術分野】
【０００１】
本発明は、内容物の注出口となる口部を備え、該口部に続いて肩部、胴部および底部を一体に備える容器であって、上下に積み重ね（スタッキング）可能な容器に関する。
【背景技術】
【０００２】
従来、この種の容器としては下記特許文献１に記載の容器があり、この容器は、長方形柱状の本体部と、注出口を有する頂部と、本体部の下部に設けられた底部とからなり、当該底部に、容器を上下に積み重ねたときに注出口およびそれに装着されたキャップを収容することのできる凹部を備えるものである。
【先行技術文献】
【特許文献】
【０００３】
【特許文献１】特開平８−２６２４０号公報
【発明の概要】
【発明が解決しようとする課題】
【０００４】
しかし、従来の容器では、上下に積み重ねられる容器同士がずれたり滑ったりし、容器のスタッキングが不安定であるという問題がある。
【０００５】
本発明はこのような事情に鑑みてなされたものであって、上下に積み重ねられた容器同士のずれや滑りを防止し、安定して積み重ねることができる容器を提供することを目的としている。
【課題を解決するための手段】
【０００６】
上記課題を解決するためになされた本発明の容器は、内容物の注出口となる口部を備え、該口部に続いて肩部、胴部および底部を一体に備える容器であって、前記底部は、前記容器を上下に積み重ねた際に下側の前記容器の前記口部を収容可能な凹部と、該凹部の外側に設けられた第１の面とを有し、前記肩部は、前記容器を上下に積み重ねた際に上側の前記容器の前記底部に設けられた前記第１の面と向き合う第２の面を有し、前記肩部の前記第２の面および前記底部の前記第１の面の少なくとも一方に、前記容器を上下に積み重ねた際に上下の前記容器同士の滑りを防止する滑り止め部を備えることを特徴とするものである。
【０００７】
なお、本発明の容器にあっては、前記肩部の前記第２の面および前記底部の前記第１の面は水平方向に延在する平坦面であることが好ましい。または、前記肩部の前記第２の面および前記底部の前記第１の面は、水平方向に対して傾斜した傾斜面であることが好ましい。
【０００８】
また、本発明の容器にあっては、前記滑り止め部は、環状凸部または互いに間隔をおいて設けられた複数の突起であることが好ましい。
【０００９】
さらに、本発明の容器にあっては、前記滑り止め部は、ゴム、エラストマー、インキ、またはホットメルト樹脂からなることが好ましい。
【００１０】
さらに、本発明の容器にあっては、前記肩部の外縁部と前記第２の面との間に段差が設けられ、該段差を介して前記第２の面は前記外縁部よりも高い位置にあることが好ましい。
【発明の効果】
【００１１】
本発明の容器によれば、肩部の第２の面および底部の第１の面の少なくとも一方に設けられた滑り止め部により、上下に積み重ねられた容器のずれや滑りを有効に防止することができる。
【図面の簡単な説明】
【００１２】
【図１】本発明の一実施形態に係る容器を示す図であり、（ａ）は平面図であり、（ｂ）は正面図である。
【図２】図１の容器の上に、同一形状を有する他の容器を積み重ねた状態を説明する図である。
【図３】本発明の他の実施形態に係る容器を示す図であり、（ａ）は正面図であり、（ｂ）は底面図である。
【図４】図３の容器の上に、同一形状を有する他の容器を積み重ねた状態を説明する図である。
【発明を実施するための形態】
【００１３】
以下、本発明の実施の形態を図面に基づき詳細に説明する。ここに図１は、本発明の一実施形態に係る容器を示し、（ａ）は平面図であり、（ｂ）は正面図であり、図２は図１の容器の上に、同一形状を有する他の容器を積み重ねた状態を説明する図である。
【００１４】
本実施形態の容器１は、ポリエチレンテレフタレート（ＰＥＴ）等の合成樹脂から形成されているとともに、図１（ｂ）に示されるように有底筒状をなしており、軸線Ｏ方向に沿って上から口部２、肩部３、胴部４および底部５がこの順に一体的に連設されたボトル型の容器１である。このような容器１は、射出成形により形成されたプリフォームを２軸延伸ブロー成形することにより製造することができ、その内部には飲料や洗剤等の内容物のための収容空間が形成されている。また、容器１は、ポリエチレン（ＰＥ）やポリプロピレン（ＰＰ）等の合成樹脂を加熱熔融させてチューブ状に押し出し、金型で挟み、内部に空気を吹き込んで中空品を成形するＥＢＭ成形（Ｅｘｔｒｕｓｉｏｎ  Ｂｌｏｗ  Ｍｏｕｌｄｉｎｇ／押出ブロー成形法）により形成することもできる。
【００１５】
本実施形態では、口部２、肩部３、胴部４および底部５は、共通の軸線Ｏ上に配置されており、本明細書では、軸線Ｏ方向に沿う口部２側を上方、底部５側を下方というものとし、また、軸線Ｏに直交する方向を径方向または水平方向、軸線Ｏ回りに周回する方向を周方向というものとする。
【００１６】
口部２は胴部４よりも小径に形成されて容器１の内容物を注出する注出口として機能し、図示例では円筒状に形成されている。口部２の外周面のうち、少なくとも上端部には雄ねじ２ａが形成されている。口部２の雄ねじ２ａには、有頂筒状をなすキャップＣの雌ねじｃ１が螺合するようになっている。
【００１７】
肩部３は、口部２と胴部４との間に設けられて、これらを連結している。肩部３は、胴部４の上端に隣接した外縁部３ａの径方向内側に段差ｄを介してこの外縁部３ａよりも高い位置（上方位置）に形成された、第２の面としての環状の平坦面３ｂを有している。平坦面３ｂは水平方向、つまり軸線Ｏに対し直交する方向に沿って形成され、その内周縁位置からは上述の口部２が立設されている。平坦面３ｂは、保管時などにおいて容器１の複数を上下（軸線Ｏ方向）に積み重ねた際（図２）に上側の容器１の底部５に設けられた後述の環状の平坦面と向き合う（平行をなす）。
【００１８】
胴部４は、円筒状をなしており、図示は省略するが、胴部４の外周面には商品ラベル等を付したり、補強のためのリブや把持する際に掴むことができる指あて用の凹部等を設けたりすることができる。
【００１９】
底部５は、略円板状をなしており、その外周縁部に位置する環状の接地部５ａと、軸線Ｏに沿って延在し、上方へ向けて窪んだ凹部５ｂと、を有している。凹部５ｂは有頂筒状をなしており、頂壁５ｂ１と該頂壁５ｂ１の外縁に垂設された周壁５ｂ２とからなり、これら頂壁５ｂ１および周壁５ｂ２は、容器１の複数を上下に積み重ねた際に下側の容器１の口部２を収容可能な空間を区画する。また、底部５には、凹部５ｂの周壁５ｂ２と接地部５ａとの間を径方向につなぐとともに接地部５ａよりも僅かに上方に位置する、第１の面としての環状の平坦面５ｃが設けられている。平坦面５ｃは水平方向、つまり軸線Ｏに対し直交する方向に沿って形成されており、保管時などにおいて容器１の複数を上下に積み重ねた際（図２）に下側の容器１の肩部３に設けられた上述の平坦面３ｂと向き合う。
【００２０】
そして、本実施形態の容器１は、図１に示すように、肩部３の平坦面３ｂに滑り止め部としての複数の突起７を備えている。突起７は周方向に間隔をおいて、好ましくは等間隔に配置されている。各突起７は略半球状またはドーム状に形成されているが、頂面が平坦な円板状のものでもよい。このような突起７は滑り止め機能を発揮するゴムやエラストマー、インキ、またはホットメルト樹脂からなり、接着、印刷、塗布、溶着等の方法により平坦面３ｂに固着させることができる。突起７は図示例では８つ設けられているが、これに限定されず、７つ以下でも９つ以上でもよい。
【００２１】
このようになる容器１を複数用いて上下（軸線Ｏ方向）に積み重ねる際には、図２に示すように、上下に積み重ねられる一対の容器１のうち上側に位置する一方の容器１を、その底部５に形成された凹部５ｂ内に、下側に位置する他方の容器１の、キャップＣが装着された口部２が挿入、収容されるように積み重ねる。これにより、下側の容器１の肩部３の平坦面３ｂに設けられた、滑り止め部としての突起７が上側の容器１の底部５の平坦面５ｃに当接し、上下の容器１同士のずれや滑りが当該突起７により防止されるので、これら容器１を安定して積み重ねることができる。
【００２２】
また、本実施形態では、肩部３の平坦面３ｂを段差ｄを介して外縁部３ａよりも高い位置（段上がり）に形成したことにより、容器１を上下に積み重ねた状態では、上側の容器１の底部５に設けられた接地部５ａが下側の容器１の肩部３に当接せず、図２に示すように上側の容器１の底部５の接地部５ａと下側の容器１の肩部３の外縁部３ａとの間に軸線Ｏ方向の隙間ｓが形成される。これにより、上側の容器１の全荷重が下側の容器１の肩部３に設けられた突起７に加わるため摩擦力が増大し、滑り止め機能を高めることができる。
【００２３】
さらに、本実施形態では、肩部３の平坦面３ｂおよび底部５の平坦面５ｃを共に水平に形成したことにより、容器１の複数を上下に積み重ねた際に滑り止め部としての突起７には圧縮力だけが作用しせん断力は作用しないため、より安定して容器１を積み重ねることができる。
【００２４】
次に、本発明の他の実施形態に係る容器について図３および図４を参照して説明する。本実施形態は滑り止め部を容器１の底部５に設けた例である。
【００２５】
具体的には、図３に示すように、本実施形態の容器１は先の実施形態の容器１と同様の基本構造を有し、底部５には凹部５ｂと、該凹部５ｂの径方向外側に位置する、第１の面としての環状の平坦面５ｃとが設けられ、肩部３には第２の面としての環状の平坦面３ｂが設けられている。両平坦面３ｂ，５ｃは水平方向、つまり軸線Ｏに対し直交する方向に沿って形成されている。
【００２６】
そして、本実施形態では、底部５の平坦面５ｃに滑り止め部としての複数の突起９が設けられている。突起９は周方向に間隔をおいて、好ましくは等間隔に配置されている。各突起９は頂面が平坦な円板状に形成されているが、略半球状またはドーム状に形成されたものでもよい。このような突起９は、先の実施形態における突起７と同じ材料、方法により形成することができる。
【００２７】
本実施形態の容器１においても、先の実施形態の容器１と同様、図４に示すように容器１の複数を上下に積み重ねた際に、上下の容器１同士のずれや滑りが突起９により防止されるので、これら容器１を安定して積み重ねることができる。
【００２８】
また、本実施形態の容器１では、突起９を容器１の底部５に形成したことにより当該突起９を外部から見えにくくして、突起９を設けたことによる容器１の外観への影響を小さくすることができる。
【００２９】
以上、図示例に基づき本発明を説明したが、本発明は前述の実施の形態に限定されるものではなく、特許請求の範囲の記載範囲内において種々の変更を行うことが可能である。
【００３０】
例えば、前述の実施形態では、滑り止め部として複数の突起７，９を設けると説明したが、滑り止め部は周方向にリング状に延びる環状凸部で構成してもよい。この際、環状凸部を同心円状に２つ以上設けることもできる。環状凸部は前述の実施形態における突起７，９と同様の材料、方法により形成することができる。さらに、前述の実施形態では、肩部３の平坦面３ｂまたは底部５の平坦面５ｃに滑り止め部としての突起７，９を設けたが、滑り止め部は、肩部３の平坦面３ｂおよび底部５の平坦面５ｃの両方に設けてもよい。
【００３１】
また、前述の実施形態では底部５の第１の面および肩部３の第２の面をそれぞれ平坦面５ｃ，３ｂとしたが、これら第１の面および第２の面は、水平方向に対して傾斜した傾斜面（円錐台形状）としてもよく、この場合、底部５の傾斜面および肩部３の傾斜面の少なくとも一方に、前述の実施形態と同様、突起７，９や環状凸部からなる滑り止め部を設けることができる（図示省略）。
【００３２】
また、前述の実施形態では横断面形状が円形の容器１について説明したが、本発明は横断面形状が角形など種々の形態の容器に対して適用することが可能である。
【００３３】
さらに、図２および図４では、上下に積み重ねられる容器１の口部２にキャップＣが装着された例を示したが、口部２にキャップＣを装着せず、内部が空の状態で容器１を積み重ねて保管、輸送等してもよい。
【産業上の利用可能性】
【００３４】
本発明によれば、上下に積み重ねられた容器同士のずれや滑りを有効に防止し、安定して積み重ねることが可能な容器が提供される。
【符号の説明】
【００３５】
１  容器
２  口部
３  肩部
３ａ  外縁部
３ｂ  平坦面
４  胴部
５  底部
５ａ  接地部
５ｂ  凹部
５ｃ  平坦面
７，９  突起（滑り止め部）
ｄ  段差
【図１】
2017178363.tif 000003
【図２】
2017178363.tif 000004
【図３】
2017178363.tif 000005
【図４】
2017178363.tif 000006